(57)【要約】【課題】槽体を圧縮空気圧回路に接続する際の作業効率を向上させ、部品点数も減少させる槽体の取付構造を提供する。【解決手段】槽体１の取付構造は、圧縮空気圧回路２の一部を形成する下接続管３と、下接続管３の上側に配される上接続管８と、下接続管３と上接続管８との間に配される槽体１であって、略筒形状の管路部４と、管路部４内に充填されているフィルタ部６と、管路部４の上端を閉塞する上蓋１２と、管路部４の下端を閉塞する下蓋１３と、上蓋１２と下蓋１３との間に架け渡された結束ボルト１５とを含む槽体１と、槽体１を載置して結束ボルト１５が挿通されて固定されている架台１７と、上蓋１２に形成されて上接続管８が直接圧入されている上貫通孔１０と、下蓋１３に形成されて下接続管３が直接圧入されている下貫通孔１１とを備えている。【選択図】        図１
2019136620.tif 000002
【特許請求の範囲】
【請求項１】
圧縮空気圧回路の一部を形成して鉛直方向に軸線を有する下接続管と、
該下接続管と同一の軸線上であって前記下接続管の上側に配されて圧縮空気圧回路の一部を形成する上接続管と、
前記下接続管と前記上接続管との間に配されて接続される槽体であって、
略筒形状の管路部と、
該管路部内に充填されているフィルタ部と、
前記管路部の上端を閉塞する上蓋と、
前記管路部の下端を閉塞する下蓋と、
前記上蓋と前記下蓋との間に架け渡されて互いに固定させるための結束ボルトとを含む槽体と、
該槽体を載置して前記結束ボルトが挿通されて固定されている架台と、
前記上蓋に形成されて前記上接続管が直接圧入されている上貫通孔と、
前記下蓋に形成されて前記下接続管が直接圧入されている下貫通孔とを備えたことを特徴とする槽体の取付構造。
【請求項２】
前記上接続管と前記下接続管とはその外径が同径であり、
前記上貫通孔と前記下貫通孔とは同径であることを特徴とする請求項１に記載の槽体の取付構造。
【発明の詳細な説明】
【技術分野】
【０００１】
本発明は、フィルタや分離器等の槽体を圧縮空気が流れる圧縮空気圧回路に取り付けるための槽体の取付構造に関するものである。
【背景技術】
【０００２】
圧縮空気に含有されるオイルミストやオゾン等の異物を分離除去するための分離器が知られている（例えば特許文献１参照）。この分離器は、圧縮空気が流れる圧縮空気圧回路の一部として配され、圧縮空気がこの分離器を通過する際に異物を除去するためのものである。
【０００３】
このような分離器等の槽体を圧縮空気圧回路に取り付ける場合、圧縮空気圧回路の配管と槽体とを接続する必要がある。この接続に際しては、ユニオンと称される継手部材が用いられている。ユニオンはいわゆるナットを回転させることで着脱可能な構造になっているので、槽体を交換する際は作業者はスパナ等を用いてナットを回転させる。
【先行技術文献】
【特許文献】
【０００４】
【特許文献１】特開２０１５−２０１１２号公報
【発明の概要】
【発明が解決しようとする課題】
【０００５】
しかしながら、分離器等の槽体はかなりの重量があるため、支持台となる架台が必要となる。この架台があるため、分離器の下側にはスペースがあまりなく、この狭小なスペースにて作業者がナット部分を回すことは非常に困難である。また、継手となるユニオン継手も別途用意する必要がある。
【０００６】
本発明は、上記従来技術を考慮したものであり、槽体を圧縮空気圧回路に接続する際の作業効率を向上させ、部品点数も減少させる槽体の取付構造を提供することを目的とする。
【課題を解決するための手段】
【０００７】
前記目的を達成するため、本発明では、圧縮空気圧回路の一部を形成して鉛直方向に軸線を有する下接続管と、該下接続管と同一の軸線上であって前記下接続管の上側に配されて圧縮空気圧回路の一部を形成する上接続管と、前記下接続管と前記上接続管との間に配されて接続される槽体であって、略筒形状の管路部と、該管路部内に充填されているフィルタ部と、前記管路部の上端を閉塞する上蓋と、前記管路部の下端を閉塞する下蓋と、前記上蓋と前記下蓋との間に架け渡されて互いに固定させるための結束ボルトとを含む槽体と、該槽体を載置して前記結束ボルトが挿通されて固定されている架台と、前記上蓋に形成されて前記上接続管が直接圧入されている上貫通孔と、前記下蓋に形成されて前記下接続管が直接圧入されている下貫通孔とを備えたことを特徴とする槽体の取付構造を提供する。
【０００８】
好ましくは、前記上接続管と前記下接続管とはその外径が同径であり、前記上貫通孔と前記下貫通孔とは同径である。
【発明の効果】
【０００９】
本発明によれば、上蓋には上接続管が、下蓋には下接続管が直接圧入されているため、槽体を交換する際は上下の接続管を上蓋及び下蓋から外せばよいため、槽体の取り付けに関して部品点数も少なく、交換作業を容易且つ迅速に行うことができる。また、槽体の取り付けも上下の接続管を圧入させるのみですむため、やはり作業を迅速且つ容易に行うことができる。さらに、槽体交換の際に圧縮空気圧回路の配管はそのままで、槽体のみを取り外すことができるので、ユーザー側で簡単に交換作業を行うことができる。槽体メーカー側としては槽体のみをユーザーに提供すればよく、圧縮空気圧回路の配管等を併せて提供する必要がなくなる。
【００１０】
また、上接続管と下接続管との外径を同径とし、上貫通孔と下貫通孔とを同径とすれば、槽体を上下共通として使用することができ、槽体の取り付け方向が誤って取り付けられることがなくなり、交換作業性がさらに向上する。
【図面の簡単な説明】
【００１１】
【図１】本発明に係る槽体の取付構造の概略図である。
【図２】本発明に係る槽体の取付構造が適用された圧縮空気圧回路の一例を示す概略図である。
【発明を実施するための形態】
【００１２】
図１に示すように、本発明に係る槽体の取付構造は、圧縮空気圧回路２の一部として形成される。圧縮空気圧回路２は、圧縮空気が流れる配管を有し、その一つとして鉛直方向に軸線を有する下接続管３を有している。下接続管３の上側には上接続管８が配されている。上接続管８は下接続管３と同一の軸線を有している。すなわち、下接続管３と上接続環８とは同一の軸線上に配されている。この下接続管３と上接続管８との間には、槽体１が配されている。槽体１は、上接続管８及び下接続管３に接続されている。
【００１３】
槽体１は略筒形状の管路部４を有している。この管路部４内を圧縮空気は流通する。管路部４の内部には、フィルタ部６が充填されている。フィルタ部６は圧縮空気中に含まれるオイルやミスト等の異物を分離除去するものである。したがって、物理的にろ過する濾材でもよいし、重金属（ＣｕイオンやＺｎイオン）を取り除くためのゼオライトや、オイルを吸着する材質（ポリエチレン、ポリプロピレン、ポリエチレンテレフタラート）等の吸着剤であってもよい。また、フィルタ部６は複数種類の吸着剤や濾材で形成されていてもよい。圧縮空気は上接続管８から管路部４に流れ込み、フィルタ部６にて異物を分離除去されて下接続管３に流れていく。
【００１４】
管路部４は上端が上蓋１２で、下端が下蓋１３により閉塞されている。この上蓋１２及び下蓋１３は管路部４よりも外方に広がっている。したがって、上蓋１２及び下蓋１３は管路部４から外方にはみ出た突出部分１４を有してる。この突出部分１４には貫通孔が形成されていて、ここに結束ボルト１５が挿通されている。この結束ボルト１５は複数本配され、上蓋１２及び下蓋１３を互いに結束し、結束することで互いに近接するように作用させる。すなわち、管路部４内を密閉するように作用する。結束ボルト１５はナット１６にて確実に締められる。換言すれば、結束ボルト１５は上蓋１２と下蓋１３との間に架け渡されて上蓋１２と下蓋１３とを互いに近接させる方向に作用させて固定するものである。
【００１５】
槽体１は、架台１７に載置されている。ここで、架台１７には結束ボルト１５が挿通されて固定されている。結束ボルト１５は下蓋１３から下方に向けてさらに延びていて、架台１７を挿通して架台１７の下面側に配されたナット１８により固定されている。このような架台１７を備えることで、圧縮空気圧回路２に用いられる槽体１の重みを分散して受けることができる。
【００１６】
上蓋１２及び下蓋１３はその中央に上貫通孔１０及び下貫通孔１１がそれぞれ形成されている。上貫通孔１０には上接続管８が直接圧入されている。下貫通孔１１には下接続管３が直接圧入されている。上下の接続管８、３が上下の貫通孔１０、１１に圧入された際、それぞれは互いに密着し、流れる圧縮空気が漏れないようにされている。この漏れをさらに確実に減少させるため、互いの密着部分にはＯリング２０が配設されている。
【００１７】
図１の例では、床面に沿って配された配管５に三方継手（チーズ）７が取り付けられ、ここから上方に向けて下接続管３が取り付けられている。なお、図の例ではチーズ７からさらに床面に沿って延びる配管５も図示している。一方で上接続管８はエルボ１９に接続され、水平に延びる配管９と接続されている。配管９はユニオン継手２１によってさらに別の配管に接続される。
【００１８】
槽体１を交換する際は、作業者（ユーザー）はユニオン継手２１を取り外し、上接続管８及び下接続管３を上貫通孔１０及び下貫通孔１１から引き抜けばよい。これにより槽体１のみを単体で取り外すことができる。このように、上蓋１２には上接続管８が、下蓋１３には下接続管３が直接圧入されているため、槽体１を交換する際は上下の接続管８、３を上蓋１２及び下蓋１３から外せばよいため、槽体１の取り外し（取り付け）に関して部品点数も少なく、交換作業を容易且つ迅速に行うことができる。また、槽体１の取り付けも上下の接続管８、３を圧入させるのみですむため、やはり作業を迅速且つ容易に行うことができる。さらに、槽体１交換の際に圧縮空気圧回路の配管５、９はそのままで、槽体１のみを取り外すことができるので、ユーザー側で簡単に交換作業を行うことができる。槽体メーカー側としては槽体１のみをユーザーに提供すればよく、圧縮空気圧回路の配管５、９等を併せて提供する必要がなくなる。
【００１９】
また、上接続管８と下接続管３との外径を同径とし、上貫通孔１０と下貫通孔１１とを同径とすれば、槽体１を上下共通として使用することができる。すなわち、槽体１の取り付け方向が誤って取り付けられることがなくなり、交換作業性がさらに向上する。
【００２０】
図２に示すように、本発明に係る槽体１の取付構造を有する圧縮空気圧回路２は、槽体１を複数（図では３個）並べて配することができる。上接続管８に通じる配管９に三方継手７（端部はエルボ１９）を配し、ここにそれぞれ槽体１を接続させればよい。下接続管３は上接続管８に対応させてそれぞれ配し、配管９と同様に配管５にも三方継手７やエルボ１９を用いて下接続管３と接続させる。これにより複数の槽体１を並べて圧縮空気圧回路２を形成することができる。さらにこのとき、架台１７はこれら複数の槽体１を載置するものとして共通して用いることができる。
【符号の説明】
【００２１】
１：槽体、２：圧縮空気圧回路、３：下接続管、４：管路部、５：配管、６：フィルタ部、７：三方継手（チーズ）、８：上接続管、９：配管、１０：上貫通孔、１１：下貫通孔、１２：上蓋、１３：下蓋、１４：突出部分、１５：結束ボルト、１６：ナット、１７：架台、１８：ナット、１９：エルボ、２０：Ｏリング、２１：ユニオン継手
【図１】
2019136620.tif 000003
【図２】
2019136620.tif 000004
【手続補正書】
【提出日】平成30年7月13日(2018.7.13)
【手続補正１】
【補正対象書類名】特許請求の範囲
【補正対象項目名】全文
【補正方法】変更
【補正の内容】
【特許請求の範囲】
【請求項１】
圧縮空気圧回路の一部を形成して鉛直方向に軸線を有する下接続管と、
該下接続管と同一の軸線上であって前記下接続管の上側に配されて圧縮空気圧回路の一部を形成する上接続管と、
前記下接続管と前記上接続管との間に配されて接続される槽体であって、
略筒形状の管路部と、
該管路部内に充填されているフィルタ部と、
前記管路部の上端を閉塞する上蓋と、
前記管路部の下端を閉塞する下蓋と、
前記上蓋と前記下蓋との間に架け渡されて互いに固定させるための結束ボルトとを含む槽体と、
該槽体を載置して前記結束ボルトが挿通されて固定されている架台と、
前記上蓋に形成されて前記上接続管が直接圧入されている上貫通孔と、
前記下蓋に形成されて前記下接続管が直接圧入されている下貫通孔とを備え、
前記槽体を上下共通として使用させるために、前記上接続管と前記下接続管とはその外径が同径であり、前記上貫通孔と前記下貫通孔とは同径であることを特徴とする槽体の取付構造。